(57)【特許請求の範囲】
【請求項１】
発電機及び蓄電池システムのうち、少なくともいずれか一方を有する複数の電力系統のそれぞれに対し、ＬＦＣ制御の管理を行うＬＦＣ管理装置であって、
前記電力系統毎の入力用データに基づいて、前記複数の電力系統のそれぞれから計測データが入力される複数の入力部と、
前記電力系統毎の系統特性データ及び前記計測データに基づいて需給アンバランス量を算出する複数の計算部と、
前記複数の電力系統を構成している前記発電機の出力上下限値までの余裕量の比あるいは前記蓄電池システムの放電電力上限値・充電電力上限値までの余裕量の比、並びに、前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分部と、
前記電力系統毎の出力用データ及び前記配分された需給アンバランス量に基づいて、前記発電機あるいは前記蓄電池システムの制御用のデータを出力する複数の出力部と、
複数の電力系統のそれぞれに対応する前記入力用データ、前記系統特性データ、前記制御用データ及び前記出力用データを更新可能に予め記憶したデータ記録部と、
を備えたＬＦＣ管理装置。
【請求項２】
発電機及び蓄電池システムのうち、少なくともいずれか一方を有する複数の電力系統のそれぞれに対し、ＬＦＣ制御の管理を行うＬＦＣ管理装置であって、
前記電力系統毎の入力用データに基づいて、前記複数の電力系統のそれぞれから計測データが入力される複数の入力部と、
前記電力系統毎の系統特性データ及び前記計測データに基づいて需給アンバランス量を算出する複数の計算部と、
前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分部と、
前記電力系統毎の出力用データ及び前記配分された需給アンバランス量に基づいて、前記発電機あるいは前記蓄電池システムの制御用のデータを出力する複数の出力部と、
複数の電力系統のそれぞれに対応する前記入力用データ、前記系統特性データ、前記制御用データ及び前記出力用データを更新可能に予め記憶したデータ記録部と、
前記電力系統の追加、改訂あるいは削除に際し、前記入力用データ、前記系統特性データ、前記制御用データ及び前記出力用データの追加、改訂あるいは削除の設定を行うための設定データを入力する設定部と、
前記設定データを記憶する設定データ記録部と、
前記設定データ記録部に記憶された前記設定データに基づいて、前記入力用データ、前記系統特性データ、前記制御用データ及び前記出力用データの更新を行うデータ更新部と、
前記更新後の前記入力用データ、前記系統特性データ、前記制御用データ及び前記出力用データに基づいて前記電力系統の追加あるいは削除の管理を行う管理部と、
を備えたＬＦＣ管理装置。
【請求項３】
前記電力系統毎に設けられ、前記入力部、前記計算部、前記配分部及び前記出力部の制御状況データを取得し、表示制御を行う複数の制御状況表示部と、
前記電力系統毎に設けられ、対応する制御状況表示部の制御下で対応する前記電力系統の制御状況を表示する複数の表示器と、
を備えた請求項１又は請求項２記載のＬＦＣ管理装置。
【請求項４】
発電機及び蓄電池システムのうち、少なくともいずれか一方を有する複数の電力系統のそれぞれに対し、第１の通信ネットワークを介して接続され、前記複数の電力系統のＬＦＣ制御の管理を行うＬＦＣ管理装置であって、
前記電力系統毎の入力用データに基づいて、前記複数の電力系統のそれぞれから計測データが入力される複数の入力部と、
前記電力系統毎の系統特性データ及び前記計測データに基づいて需給アンバランス量を算出する複数の計算部と、
前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分部と、
前記電力系統毎の出力用データ及び前記配分された需給アンバランス量に基づいて、前記発電機あるいは前記蓄電池システムの制御用のデータを出力する複数の出力部と、
複数の電力系統のそれぞれに対応する前記入力用データ、前記系統特性データ、前記制御用データ及び前記出力用データを更新可能に予め記憶したデータ記録部と、
情報処理装置から第２の通信ネットワークを介して、新たな電力系統についての追加契約、既存の電力系統についての契約改定あるいは既存の電力系統についての契約終了を受け付ける設定部と、
を備えたＬＦＣ管理装置。
【請求項５】
発電機及び蓄電池システムのうち、少なくともいずれか一方を有する複数の電力系統のそれぞれに対し、第１の通信ネットワークを介して接続され、前記複数の電力系統のＬＦＣ制御の管理を行うＬＦＣ管理装置と、
前記ＬＦＣ管理装置と第２の通信ネットワークを介して接続可能な、ユーザ端末あるいはサーバと、を備え、
前記ＬＦＣ管理装置は、
前記電力系統毎の入力用データに基づいて、前記複数の電力系統のそれぞれから計測データが入力される複数の入力部と、
前記電力系統毎の系統特性データ及び前記計測データに基づいて需給アンバランス量を算出する複数の計算部と、
前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分部と、
前記電力系統毎の出力用データ及び前記配分された需給アンバランス量に基づいて、前記発電機あるいは前記蓄電池システムの制御用のデータを出力する複数の出力部と、
複数の電力系統のそれぞれに対応する前記入力用データ、前記系統特性データ、前記制御用データ及び前記出力用データを更新可能に予め記憶したデータ記録部と、
前記ユーザ端末から前記第２の通信ネットワークを介して、新たな電力系統についての追加契約、既存の電力系統についての契約改定あるいは既存の電力系統についての契約終了を受け付ける設定部と、
を備えたＬＦＣシステム。
【請求項６】
前記設定部が前記ユーザ端末から前記追加契約、前記契約改定あるいは前記契約終了を受け付けて、前記入力用データ、前記系統特性データ、前記制御用データ及び前記出力用データの追加又は削除の設定を行うための設定データを入力することにより、前記設定データを記憶する設定データ記録部と、
前記設定データ記録部に記憶された前記設定データに基づいて、前記入力用データ、前記系統特性データ、前記制御用データ及び前記出力用データの更新を行うデータ更新部と、
前記更新後の前記入力用データ、前記系統特性データ、前記制御用データ及び前記出力用データに基づいて前記電力系統の追加、改訂あるいは削除の管理を行う管理部と、
を備えた請求項５記載のＬＦＣシステム。
【請求項７】
発電機及び蓄電池システムのうち、少なくともいずれか一方を有する複数の電力系統のそれぞれに対応する入力用データ、系統特性データ、制御用データ及び出力用データを更新可能に予め記憶したデータ記録部を有し、ＬＦＣ制御の管理を行うＬＦＣ管理装置で実行される方法であって、
前記電力系統毎の前記入力用データに基づいて、前記複数の電力系統のそれぞれから計測データが入力される複数の入力ステップと、
前記電力系統毎の前記系統特性データ及び前記計測データに基づいて需給アンバランス量を算出する複数の計算ステップと、
前記複数の電力系統を構成している前記発電機の出力上下限値までの余裕量の比あるいは前記蓄電池システムの放電電力上限値・充電電力上限値までの余裕量の比、並びに、前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分ステップと、
前記電力系統毎の出力用データ及び前記配分された需給アンバランス量に基づいて、発電機あるいは前記蓄電池システムの制御用のデータを出力する複数の出力ステップと、
を備えた方法。
【請求項８】
発電機及び蓄電池システムのうち、少なくともいずれか一方を有する複数の電力系統のそれぞれに対応する入力用データ、系統特性データ、制御用データ及び出力用データを更新可能に予め記憶したデータ記録部を有し、ＬＦＣ制御の管理を行うＬＦＣ管理装置で実行される方法であって、
前記電力系統毎の入力用データに基づいて、前記複数の電力系統のそれぞれから計測データが入力される複数の入力ステップと、
前記電力系統毎の系統特性データ及び前記計測データに基づいて需給アンバランス量を算出する複数の計算ステップと、
前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分ステップと、
前記電力系統毎の出力用データ及び前記配分された需給アンバランス量に基づいて、前記発電機あるいは前記蓄電池システムの制御用のデータを出力する複数の出力ステップと、
新たな電力系統についての追加契約、既存の電力系統についての契約改定あるいは既存の電力系統についての契約終了を受け付ける設定ステップと、
を備えた方法。
【請求項９】
発電機及び蓄電池システムのうち、少なくともいずれか一方を有する複数の電力系統のそれぞれに対応する入力用データ、系統特性データ、制御用データ及び出力用データを更新可能に予め記憶したデータ記録部を有し、ＬＦＣ制御の管理を行うＬＦＣ管理装置をコンピュータにより制御するためのプログラムであって、
前記コンピュータを、
前記電力系統毎の前記入力用データに基づいて、前記複数の電力系統のそれぞれから計測データが入力される複数の入力手段と、
前記電力系統毎の前記系統特性データ及び前記計測データに基づいて需給アンバランス量を算出する複数の計算手段と、
前記複数の電力系統を構成している前記発電機の出力上下限値までの余裕量の比あるいは前記蓄電池システムの放電電力上限値・充電電力上限値までの余裕量の比、並びに、前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分手段と、
前記電力系統毎の出力用データ及び前記配分された需給アンバランス量に基づいて、発電機あるいは前記蓄電池システムの制御用のデータを出力する複数の出力手段と、
して機能させるプログラム。
【請求項１０】
発電機及び蓄電池システムのうち、少なくともいずれか一方を有する複数の電力系統のそれぞれに対応する入力用データ、系統特性データ、制御用データ及び出力用データを更新可能に予め記憶したデータ記録部を有し、ＬＦＣ制御の管理を行うＬＦＣ管理装置をコンピュータにより制御するためのプログラムであって、
前記コンピュータを、
前記電力系統毎の入力用データに基づいて、前記複数の電力系統のそれぞれから計測データが入力される複数の入力手段と、
前記電力系統毎の系統特性データ及び前記計測データに基づいて需給アンバランス量を算出する複数の計算手段と、
前記電力系統毎の制御用データ、前記計測データ及び前記需給アンバランス量に基づいて、前記発電機及び前記蓄電池システムのうち少なくともいずれか一方への前記需給アンバランス量の配分を算出する複数の配分手段と、
前記電力系統毎の出力用データ及び前記配分された需給アンバランス量に基づいて、前記発電機あるいは前記蓄電池システムの制御用のデータを出力する複数の出力手段と、
新たな電力系統についての追加契約、既存の電力系統についての契約改定あるいは既存の電力系統についての契約終了を受け付ける設定手段と、
を備えたプログラム。
【発明の詳細な説明】
【技術分野】
【０００１】
本発明の実施形態は、ＬＦＣ管理装置、ＬＦＣシステム、方法及びプログラムに関する。
【背景技術】
【０００２】
地球温暖化対策を目指して太陽光や風力等の再生可能エネルギーを導入すると共に賢く電気エネルギーを管理するスマートグリッドは、今後ますます促進されることが予想される。
しかし再生可能エネルギーは出力が不安定のために大量に導入した場合の問題として系統の周波数調整能力つまりＬＦＣ調整力の不足が懸念されている。これは、電源に占める再生可能エネルギーの比率が高くなると、相対的に火力・水力発電などのＬＦＣ調整力を持つ電源の比率が低下し、ある程度以上には再生可能エネルギーの比率を上げることができなくなるからである。【０００３】
これを解決するための手段として、例えば、蓄電池を導入し、蓄電池に再生可能エネルギーの出力変動を吸収させたり、系統の需要と供給のアンバランスを吸収させたりすることが提案されている。
【先行技術文献】
【特許文献】
【０００４】
【特許文献１】特開２０１２−０１６０７７号公報
【特許文献２】特開２００９−２１３２４０号公報
【特許文献３】特開２００１−０３７０８５号公報
【発明の概要】
【発明が解決しようとする課題】
【０００５】
ところで、再生可能エネルギーを導入してスマートグリッドを構築することも、近年盛んに検討されており、今後ますます増加する事が予想される。
しかしながら、新たに再生可能エネルギーを導入して電力系統を構築する場合や、一部の電力系統に再生可能エネルギーを導入して当該一部の系統を本系統とは別に周波数維持を行う場合等には、当該系統の周波数を維持する機能（ＬＦＣ機能）を持つＬＦＣシステムを構築する必要があり、構築コスト及び維持コストが増大する虞があった。
本発明は、上記に鑑みてなされたものであって、複数の電力系統（系統）に対してＬＦＣ機能を提供することが可能なＬＦＣ管理装置、ＬＦＣシステム、方法及びプログラムを提供することを目的としている。
【課題を解決するための手段】
【０００６】
ＬＦＣ管理装置は、発電機及び蓄電池システムのうち、少なくともいずれか一方を有する複数の電力系統のそれぞれに対し、ＬＦＣ制御の管理を行う。
これに際し、データ記録部に複数の電力系統のそれぞれに対応する入力用データ、系統特性データ、制御用データ及び出力用データを更新可能に予め記憶する。
これにより、複数の入力部は、系統毎の入力用データに基づいて、複数の電力系統のそれぞれから計測データが入力される。
複数の計算部は、系統毎の系統特性データ及び計測データに基づいて需給アンバランス量を算出する。
複数の配分部は、複数の電力系統を構成している発電機の出力上下限値までの余裕量の比あるいは蓄電池システムの放電電力上限値・充電電力上限値までの余裕量の比、並びに、電力系統毎の制御用データ、前記計測データ及び前記需給アンバランス量に基づいて、発電機及び蓄電池システムのうち少なくともいずれか一方への需給アンバランス量の配分を算出する。
複数の出力部は、系統毎の出力用データ及び配分された需給アンバランス量に基づいて、発電機あるいは蓄電池システムの制御用のデータを出力する。
【図面の簡単な説明】
【０００７】
【図１】図１は、第１実施形態の複数系統用ＬＦＣシステムの概要構成ブロック図である。
【図２】図２は、複数系統用ＬＦＣシステムの機能ブロック図である。
【図３】図３は、第２実施形態の複数系統用ＬＦＣシステムの構成を示す機能ブロック図（追加前）である。
【図４】図４は、第２実施形態の複数系統用ＬＦＣシステムの構成を示す機能ブロック図（追加後）である。
【図５】図５は、本発明の第３実施形態の複数系統用ＬＦＣシステムの構成を示すブ機能ブロック図である。
【図６】図６は、第４実施形態の複数系統用ＬＦＣシステムの概要構成ブロック図である。
【図７】図７は、第４実施形態の処理フローチャートである。
【図８】図８は、第５実施形態の設定データ記録部のデータ記録例の説明図である。
【発明を実施するための形態】
【０００８】
以下、本発明の実施形態について、図面を参照して具体的に説明する。
［１］第１実施形態
図１は、第１実施形態の複数系統用ＬＦＣシステムの概要構成ブロック図である。
第１実施形態の複数系統用ＬＦＣシステム１００は、大別すると、蓄電池システムを有する複数の電力系統（系統）１０１−１〜１０１−ｘと、複数系統用のＬＦＣ管理装置１０２と、電力系統１０１−１〜１０１−ｘとＬＦＣ管理装置１０２とをそれぞれ通信可能に接続する通信ネットワーク１０３−１〜１０３−３と、を備えている。
ここで、電力系統１０１−１〜１０１−ｘは、同様の構成であるので、電力系統１０１−１を例として説明する。
【０００９】
図２は、複数系統用ＬＦＣシステムの機能ブロック図である。
ＬＦＣ管理装置１０２は、電力系統１０１−１〜１０１−ｘから計測データが入力される入力部１２１−１〜１２１−ｘと、計測データに基づいて需給アンバランス量を算出する計算部１２２−１〜１２２−ｘと、電力系統１０１−１〜１０１−ｘを構成している一又は複数の発電機及び一又は複数の蓄電池に配分する需給アンバランス量を算出する配分部１２３−１〜１２３−ｘと、配分された需給アンバランス量に基づいて、電力系統１０１−１〜１０１−ｘを構成している一又は複数の発電機及び一又は複数の蓄電池の制御用のデータを出力する出力部１２４−１〜１２４−ｘと、入力用データ１３１−１〜１３１−ｘ、系統特性データ１３２−１〜１３２−ｘ、制御用データ１３３−１〜１３３−ｘ及び出力用データ１３４−１〜１３４−ｘを予め記憶したデータ記録部１２５と、を備えている。
【００１０】
この場合において、入力用データ１３１−１〜１３１−ｘ、系統特性データ１３２−１〜１３２−ｘ、制御用データ１３３−１〜１３３−ｘ及び出力用データ１３４−１〜１３４−ｘは、データ記録部１２５に対し、図示しない外部装置により、電力系統１０１−１〜１０１−ｘ（系統）毎にＬＦＣを開始する前に設定されるものとする。
【００１１】
次に第１実施形態の動作を説明する。
まず、入力部１２１−１、１２１−２、…、１２１−ｘには、それぞれ電力系統１０１−１〜１０１−ｘに予め設定された計測点から周波数の計測値に相当する周波数データ１１３−１、１１３−２、…、１１３−ｘ、潮流の計測値に相当する連系線潮流データ１１４−１１〜１１４−１ｋ、１１４−２１〜１１４−２ｋ、…、１１４−ｘ１〜１１４−ｘｋ、発電機出力の計測値に相当する発電機出力データ１１５−１１〜１１５−１ｍ、１１５−２１〜１１５−２ｍ、…、１１５−ｘ１〜１１５−ｘｍ、蓄電池システムを構成している蓄電池の蓄電池出力の計測値に相当する蓄電池出力データ１１６−１１〜１１６−１ｎ、１１６−２１〜１１６−２ｎ、…、１１６−ｘ１〜１１６−ｘｎが上りデータとして入力される。
【００１２】
電力系統１０１−１〜１０１−ｘの計測点の計測値は、一般に遠方監視制御装置（ＴＣ）やサイクリックディジタル情報伝送装置（ＣＤＴ）などに代表される通信装置によって通信ネットワーク１０３−１〜１０３−３を介して、ＬＦＣ管理装置１０２へ送られるため、入力部１２１−１、１２１−２、…、１２１−ｘが、通信装置から入力する際には入力用データ１３１−１、１３１−２、…、１３１−ｘを参照することによって各計測値を識別できるようになっている。つまり、入力用データ１３１−１、１３１−２、…、１３１−ｘには、上りデータ毎に、いずれかの送信元から送られてくる通信データの中のどのデータに対応しているのかを示すデータが含まれている。
【００１３】
計算部１２２−１〜１２２−ｘは、それぞれ入力部１２１−１、１２１−２、…、１２１−ｘが入力した上り情報のうちのそれぞれ周波数データ１１３−１、１１３−１、…、１１３−ｘ、あるいは、連系線潮流データ１１４−１１〜１１４−１ｋ、１１４−２１〜１１４−２ｋ、…、１１４−ｘ１〜１１４−ｘｋのうちいずれか少なくとも一方に基づいて需給アンバランス量を算出する。
例えば、計算部１２２−１は、電力系統１０１−１の需給アンバランス量を、Ｋ１・（周波数データ１１３−１に対応する周波数−基準周波数）＋Ｋ２・Σ（連系線潮流計画値１ｉ−連系線潮流データ１１４−１ｉ）（ｉ＝１〜ｋ）により計算する。この需給アンバランス量は、日本では、地域要求量と呼ばれ、米国ではＡｒｅａ  Ｃｏｎｔｒｏｌ  Ｅｒｒｏｒ（ただし地域要求量と符号が反対）と呼ばれている。
【００１４】
ここで、需給アンバランス量を算出する際に、連系線がない場合や連系線を考慮しない場合や周波数を考慮しない場合も、系統（電力系統）によってあり得るが、いずれの場合であってもかまわない。
上述した需給アンバランス量の計算式における定数Ｋ１や定数Ｋ２は、系統（電力系統）に依存する定数である。例えば、系統として電力系統１０１−１の場合を例とすると、系統特性データ１３２−１として記憶されている。そのため計算部１２２−１が、需給アンバランス量を算出する際には系統特性データ１３２−１を参照して電力系統１０１−１の定数Ｋ１や定数Ｋ２を取得するようになっている。
計算部１２２−２、…、計算部１２２−ｘも同様に、系統特性データ１３２−１、…、１３２−ｘを参照して系統としての需給アンバランス量を算出する。
以上の説明では、電力系統１０１−１〜１０１−ｘの連系線潮流の数が全てｋ個である場合を説明したが、系統毎、すなわち、電力系統１０１−１〜１０１−ｘ毎にその数が異なっても良い。
【００１５】
配分部１２３−１〜１２３−ｘは、対応する計算部１２２−１〜１２２−ｘが算出した需給アンバランス量と、対応する入力部１２１−１〜１２１−ｘを介して入力された発電機出力データ１１５−１１〜１１５−１ｍ、１１５−２１〜１１５−２ｍ、…、１１５ｘ１〜１１５ｘｍ、あるいは、蓄電池出力データ１１６−１１〜１１６−１ｎ、１１６−２１〜１１５−２ｎ、…、１１５ｘ１〜１１５ｘｎのうち、少なくともいずれか一方に基づいて、発電機制御量データ１１７−１１〜１１７−１ｍ、１１７−２１〜１１７−２ｍ、…、１１７−ｘ１〜１１７−ｘｍ、あるいは、蓄電池制御量データ１１８−１１〜１１８−１ｎ、１１８−２１〜１１８−２ｎ、…、１１８−ｘ１〜１１８−ｘｎのうち、少なくとも一方を算出する。
【００１６】
この場合において、配分部１２３−１〜１２３−ｘの算出（計算）方法としては、各種方法が考えられるが、考えられる方法のうち、いずれの方法を採用することも可能である。
代表的な方法としては、各発電機や蓄電池の出力上下限値または放電電力上限値・充電電力上限値までの余裕量に応じて比例配分する方法が挙げられる。より詳細には、需給アンバランス量が電力不足を示す時は、各発電機出力から出力上限値まで、あるいは各蓄電池出力から放電電力上限値までの余裕量を計算して、その余裕量により比例配分する方法が可能である。
これらの場合において、適切な制御を実現するために必要によって各発電機または蓄電池またはその両方の制御量にゲイン定数を乗じて制御量を補正してもよい。
配分部１２３−１〜１２３−ｘが、制御量を計算する際に用いる発電機や蓄電池の上下限値やゲイン定数等は、制御用データ１３３−１〜１３３−ｘとして記憶されている。
このため、配分部１２３−１〜１２３−ｘが制御量を計算する際に、制御用データ１３３−１、…、１３３−ｘをそれぞれ参照して発電機や蓄電池の上下限値やゲイン定数等を得るようになっている。
ここで電力系統１０１−１〜１０１−ｘの発電機と蓄電池の数をそれぞれｍ台およびｎ台と、電力系統１０１−１〜１０１−ｘの全系統について同じ台数として説明したが、系統毎に異なってもかまわない。
【００１７】
出力部１２４−１、１２４−２、…、１２４−ｘは、配分部１２３−１、１２３−２、…、１２３−ｘが算出し、出力した発電機制御量データ１１７−１１〜１１７−１ｍ、１７−２１〜１１７−２ｍ、…、１１７−ｘ１〜１１７−ｘｍ、あるいは、蓄電池制御量データ１１８−１１〜１８１−１ｎ、１１８−２１〜１１８−２ｎ、…、１１８−ｘ１〜１１８−ｘｎのうち、少なくともいずれか一方を下り情報としてそれぞれ電力系統１０１−１〜１０１−ｘの制御点へ送る。
【００１８】
ところで、電力系統１０１−１〜１０１−ｘの制御点へおくる下り情報は、一般に遠方監視制御装置（ＴＣ）やサイクリックディジタル情報伝送装置（ＣＤＴ）などに代表される通信装置によってＬＦＣ管理装置から発電所や変電所へ送られるため、出力部１２４ａ、１２４−２、…、１２４−ｘは、出力用データ１３４−１、１３４−２、…、１３４−ｘを参照することによって各制御量をそれぞれに応じた通信装置へ出力できるようになっている。つまり、出力用データ１３４−１、１３４−２、…、１３４−ｘには、下り情報毎にどこへ送る通信データの中のどのデータに対応しているのかを示すデータが含まれている。
【００１９】
一般に入力部１２１−１、１２１−２、…、１２１−ｘ、計算部１２２−１、１２２−２、…、１２２−ｘ、配分部１２３−１、１２３−２、…、１２３−ｘ、出力部１２４−１、１２４−２ｂ、…、１２４−ｘは、一定時間間隔（たとえば、数秒）毎に周期的に動作するようにされている。
このようにして、複数系統用ＬＦＣシステムのＬＦＣ管理装置は、電力系統１０１−１〜１０１−ｘの周波数維持を同時並列して行う。
【００２０】
以上の説明のように、第１実施形態の複数系統用ＬＦＣシステム１００によれば、電力系統（系統）１０１−１〜１０１−ｘ毎にＬＦＣシステムを構築する必要がなく、複数の電力系統１０１−１〜１０１−ｘ（系統）に対して複数系統用のＬＦＣ管理装置１０２を一つ設ければよいため、経済的に構築できるというメリットに加え、集中管理が行えるため、保守要員数を抑制できるとともに、経済的に保守できるというメリットが得られる。
【００２１】
［２］第２実施形態
上記第１実施形態においては、予め系統（電力系統）が定まっている場合について説明したが、本第２実施形態は、一つのＬＦＣ管理装置において、系統（電力系統）を追加可能とした場合の実施形態である。
図３は、第２実施形態の複数系統用ＬＦＣシステムの構成を示す機能ブロック図（追加前）である。
図４は、第２実施形態の複数系統用ＬＦＣシステムの構成を示す機能ブロック図（追加後）である。
【００２２】
第２実施形態の複数系統用ＬＦＣシステム１００Ａは、第１実施形態の複数系統用ＬＦＣシステム１から電力系統１０１−２に対応する構成を除いた構成に、設定部１４１、設定データ記録部１４２、データ更新部１４３及び管理部１４４を追加した構成になっている。
【００２３】
設定部１４１は、入力用データ１３１−１〜１３１−ｘ、系統特性データ１３２−１〜１３２−ｘ、制御用データ１３３−１〜１３３−ｘ及び出力用データ１３４−１〜１３４−ｘとして設定するための設定データを入力する。
【００２４】
設定データ記録部１４２は、入力用データ１３１−１〜１３１−ｘ、系統特性データ１３２−１〜１３２−ｘ、制御用データ１３３−１〜１３３−ｘ及び出力用データ１３４−１〜１３４−ｘとして設定するための設定データを記憶する。
【００２５】
データ更新部１４３は、設定部１４１が入力し、設定データ記録部１４２に記憶した設定データに基づいて、入力用データ１３１−２、系統特性データ１３２−２、制御用データ１３３−２及び出力用データ１３４−２をデータ記録部１２５に追加して格納するデータ更新処理を行う。
【００２６】
管理部１４４は、入力部１２１−１、１２１−３（図示せず）、…、１２１−ｘ、計算部１２２−１、１２２−３（図示せず）、…、１２２−ｘ、配分部１２３−１、１２３−２、…、１２３−ｘ、出力部１２４−１、１２４−３（図示せず）、…、１２４−ｘを管理する。
【００２７】
ここで、新たに電力系統１０１−２を複数系統用ＬＦＣシステム１００Ａを構成している複数系統用のＬＦＣ管理装置１０２に制御させる場合の登録の手順について説明する。
【００２８】
図３は、複数系統用ＬＦＣシステム１００ＡのＬＦＣ管理装置１０２が、電力系統１０１−１及び電力系統１０１−ｘの制御を行っている状態を示している。
【００２９】
図３の状態において、設定部１４１は、外部から新たな電力系統１０１−２の周波数維持のために必要な入力用データ１３１−２、系統特性データ１３２−２、制御用データ１３３−２及び出力用データ１３４−２の設定を受け付けて設定データ記録部１４２へ記録する。
【００３０】
これにより設定データ記録部１４２には、設定部１４１から入力された新たな系統である電力系統１０１−２の入力用データ１３１−２、系統特性データ１３２−２、制御用データ１３３−２及び出力用データ１３４−２の生成用データが記憶される。
【００３１】
管理部１４４は、外部から電力系統１０１−２を新たにＬＦＣ制御対象とする指示を受け付けると、データ更新部１４３に対して、新たな系統である電力系統１０１−２の入力用データ１３１−２、系統特性データ１３２−２、制御用データ１３３−２及び出力用データ１３４−２を作成するよう指示する。
【００３２】
また、管理部１４４は新たな系統である電力系統１０１−２のための入力部１２１−２、計算部１２２−２、配分部１２３−２、出力部１２４−２を生成する。ただし、この時点では入力部１２１−２、計算部１２２−２、配分部１２３−２、出力部１２４−２の起動はしない。
【００３３】
データ更新部１４３は、管理部１４４から新たな系統である電力系統１０１−２の入力用データ１３１−２、系統特性データ１３２−２、制御用データ１３３−２及び出力用データ１３４−２を作成するよう指示を受けると、電力系統１０１−２の入力用データ１３１−２、系統特性データ１３２−２、制御用データ１３３−２及び出力用データ１３４−２を生成し、その内容を設定データ記録部１４２に記録されている電力系統１０１−２の入力用データ１３１−２、系統特性データ１３２−２、制御用データ１３３−２及び出力用データ１３４−２の内容と同じ内容とする。
【００３４】
そして、データ更新部１４３が電力系統１０１−２の入力用データ１３１−２、系統特性データ１３２−２、制御用データ１３３−２及び出力用データ１３４−２の内容を作成してから、管理部１４４は、先に生成した電力系統１０１−２のための入力部１２１−２、計算部１２２−２、配分部１２３−２、出力部１２４−２を起動する。
【００３５】
この結果、起動された入力部１２１−２、計算部１２２−２、配分部１２３−２、出力部１２４−２は、以降周期的に動作し、複数系統用ＬＦＣシステム１００Ａは、図４に示す状態となる。
【００３６】
そして、これ以降、複数系統用ＬＦＣシステム１００ＡのＬＦＣ管理装置１０２において、図４に示す入力部１２１−１〜１２１−ｘ、計算部１２２−１〜１２２−ｘ、配分部１２３−１〜１２３−ｘ及び出力部１２４−１〜１２４−ｘは、所定時間（たとえば、数秒）毎に周期的に動くようになっており、第１実施形態の複数系統用ＬＦＣシステム１００と同様の動作を行うこととなる。
【００３７】
［２．１］ＬＦＣ制御条件を変更する場合
以上の説明は、新たに電力系統１０１−２を追加する場合のものであった。
【００３８】
ところで、実際の電力系統においては、メンテナンスやシステム更新のため、発電機や蓄電池を入れ替えたり、追加したり、一時的に外すような場合や、各種計測を行うセンサの交換や追加をしたりする場合が生じ得る。
そこで、以下においては、既に稼働している電力系統１０１−１のＬＦＣ制御条件を変更する場合の動作について説明する。
【００３９】
具体的には、電力系統１０１−１の周波数データ１１３−１、連系線潮流１１４−１１〜１１４−１ｋ、発電機出力データ１１５−１１〜１１５−１ｍあるいは蓄電池出力データ１１６−１１〜１１５−１ｎを取得する計測点の追加、変更があった場合や、発電機制御量データ１１７−１１〜１１７−１ｍあるいは蓄電池制御量データ１１８−１１〜１１８−１ｎの出力先である制御点の追加、変更があった場合の動作を説明する。
【００４０】
図３において、設定部１４１は、既に登録されている電力系統１０１−１の周波数維持のために必要な電力系統１０１−１の入力用データ１３１−１、系統特性データ１３２−１、制御用データ１３３−１及び出力用データ１３４−１として設定を変更するための新たな設定データを入力する。ここでは、説明の都合上、入力用データ１３１−１、系統特性データ１３１−１、制御用データ１３３−１及び出力用データ１３４−１の全てを入力しているが、変更が必要なデータのみを入力すればよい。
【００４１】
これにより設定データ記録部１４２は、設定部１４１から入力された新たに設定しようとする電力系統１０１−１の入力用データ１３１−１、系統特性データ１３２−１、制御用データ１３３−１及び出力用データ１３４−１の生成用データが記憶される。
【００４２】
管理部１４４は、電力系統１０１−１に対応するデータの更新指示を受け付けると、入力用データ１３１−１、系統特性データ１３２−１、制御用データ１３３−１及び出力用データ１３４−１を更新するのに先だって、入力部１２１−１、計算部１２２−１、配分部１２３−１及び出力部１２４−１が周期的な動作（通常動作）を行わないように一旦停止させ、そのあとで、データ更新部１４３に対して、電力系統１０１−１に対応する新たな入力用データ１３１−１、系統特性データ１３２−１、制御用データ１３３−１及び出力用データ１３４−１を作成するよう指示する。
【００４３】
続いてデータ更新部１４３は、管理部１４４から電力系統１０１−１の新たな入力用データ１３１−１、系統特性データ１３２−１、制御用データ１３３−１及び出力用データ１３４−１を作成するよう指示を受けると、電力系統１０１−１の入力用データ１３１−１、系統特性データ１３２−１、制御用データ１３３−１及び出力用データ１３４−１の内容を、設定データ記録部１４２に記録されている電力系統１０１−１の入力用データ１３１−１、系統特性データ１３２−１、制御用データ１３３−１及び出力用データ１３４−１の内容と同じ内容に更新する。
【００４４】
そして、データ更新部１４３が電力系統１０１−１の入力用データ１３１−１、系統特性データ１３２−１、制御用データ１３３−１及び出力用データ１３４−１の内容を作成してから、管理部１４４は、先に一旦停止した電力系統１０１−１のための入力部１２１−１、計算部１２２−１、配分部１２３−１及び出力部１２４−１を起動する。
【００４５】
この結果、更新された内容で起動された入力部１２１−１、計算部１２２−１、配分部１２３−１、出力部１２４−１は、以降周期的に動作し、第１実施形態と同様の動作を行う。
【００４６】
［２．２］ＬＦＣ制御を停止する場合
次に特定の系統（電力系統）においてＬＦＣ制御を停止させる場合の動作について説明する。
【００４７】
具体的には、図４で示した複数系統用ＬＦＣシステム１００Ａにおいて、電力系統１０１−１〜１０１−ｘのＬＦＣ制御を実施している状況から、電力系統１０１−２のＬＦＣ制御をやめて、図３に示した複数系統用ＬＦＣシステム１００Ａの初期状態と同様に、電力系統１０１−１、１０１−３〜１０１−ｘについてＬＦＣ制御を実施するようになるまでの動作を説明する。
【００４８】
図４において、設定部１４１は、既に登録されている電力系統１０１−２の周波数維持のために必要な電力系統１０１−２の入力用データ１３１−２、系統特性データ１３２−２、制御用データ１３３−２及び出力用データ１３４−２として削除を受けつけて、削除指示を入力する。
【００４９】
これにより設定データ記録部１４２は、設定部１４１から入力された削除指示に基づいて電力系統１０１−２の入力用データ１３１−２、系統特性データ１３２−２、制御用データ１３３−２及び出力用データ１３４−２の生成用データが削除されたことが記憶される。
【００５０】
管理部１４４は、電力系統１０１−２をＬＦＣ制御対象から除外する指示を受け付けると、当該時点まで周期的に動いていた入力部１２１−２、計算部１２２−２、配分部１２３−２、出力部１２４−２を停止させるとともに、これらを削除する。
その後、管理部１４４は、データ更新部１４３に対して、電力系統１０１−２の入力用データ１３１−２、系統特性データ１３２−２、制御用データ１３３−２及び出力用データ１３４−２を更新するよう指示する。
【００５１】
これにより、データ更新部１４３は、管理部１４４からの指示に基づいて、設定データ記録部１４２に記録されている入力用データ１３１−２、系統特性データ１３２−２、制御用データ１３３−２及び出力用データ１３４−２の内容を更新しようとするが、設定データ記録部１４２には、これらのデータが削除されていることが記録されているので、実効的に入力用データ１３１−２、系統特性データ１３２−２、制御用データ１３３−２及び出力用データ１３４−２を削除する動作を行う。
【００５２】
この結果、複数系統用ＬＦＣシステム１００ＡのＬＦＣ管理装置１０２においては、図３に示す状態となり、入力部１２１−１、１２１−３〜１２１−ｘ、計算部１２２−１、１２２−３〜１２２−ｘ、配分部１２３−１、１２３−３〜１２３−ｘ、出力部１２４−１、１２４−３〜１２４−ｘは、所定時間（たとえば、数秒）毎に周期的に動くようになっており、電力系統１０１−１、１０１−３〜１０１−ｘが第１実施形態と同様の動作を行うこととなる。
【００５３】
［２．３］第２実施形態の効果
以上の説明のように、第２実施形態によれば、複数系統をＬＦＣ制御しつつ、新たな系統をＬＦＣ制御対象にしたり、既にＬＦＣ制御対象の系統において発電機や蓄電池の増減や連系線の増減や系統特性に変化があった場合にそれらの変化に応じたＬＦＣ制御を可能としたり、既にＬＦＣ制御対象となっている系統をＬＦＣ対象から除外（削除）したりすることが容易に行える。
【００５４】
［３］第３実施形態
図５は、本発明の第３実施形態の複数系統用ＬＦＣシステムの構成を示す機能ブロック図である。
【００５５】
第３実施形態の複数系統用ＬＦＣシステム１００Ｂが、図１の第１実施形態の複数系統用ＬＦＣシステム１００と異なる点は、ＬＦＣ管理装置１０２を構成している入力部１２１−１〜１２１−ｘ、計算部１２２−１〜１２２−ｘ、配分部１２３−１〜１２３−ｘ、出力部１２４−１〜１２４−ｘの制御状況データを記録する制御状況データ記録部１２５−１〜１２５−ｘ、制御状況データ記録部１２５−１〜１２５−ｘの記録状況に基づいて、制御状況を表示部１４７−１〜１４７−ｘにそれぞれ表示する制御状況表示部１３５−１〜１３５−ｘを備えた点である。
【００５６】
図５において、入力部１２１−１〜１２１−ｘは、それぞれ入力された上り情報を制御状況データ記録部１２５−１〜１２５−ｘへ記録する。同様に、計算部１２２−１〜１２２−ｘは、それぞれ算出した需給アンバランス量を制御状況データ記録部１２５−１〜１２５−ｘへ記録する。配分部１２３−１〜１２３−ｘは、それぞれ計算した制御量を制御状況データ記録部１２５−１〜１２５−ｘへ記録する。出力部１２４−１〜１２４−ｘは、それぞれが出力した下り情報を制御状況データ記録部１２５−１〜１２５−ｘへ記録する。
【００５７】
これらの結果、制御状況表示部１３５−１〜１３５−ｘは、制御状況データ記録部１２５−１〜１２５−ｘの記録状況に基づいて、制御状況を表示部１４７−１〜１４７−ｘにそれぞれ表示する。
【００５８】
したがって、第３実施形態の複数系統用ＬＦＣシステム１００Ｂによれば、複数の系統、すなわち、電力系統１０１−１〜１０１−ｘのＬＦＣ制御しつつ、電力系統１０１−１〜１０１−ｘ毎に、ＬＦＣの制御状況を表示することができるので、ＬＦＣ管理装置１０２のオペレータは、電力系統１０１−１〜１０１−ｘ毎にＬＦＣ制御状況を知ることができる。
【００５９】
［４］第１実施形態乃至第３実施形態の変形例
以上の各実施形態においては、通信ネットワーク１０３−１〜１０３−ｘの詳細については、述べなかったが、通信プロトコルの一部または全部をインターネットプロトコルとすることが可能である。
【００６０】
従来においては、一般に遠方監視制御装置（ＴＣ）やサイクリックディジタル情報伝送装置（ＣＤＴ）などに代表される通信装置によって送られていたが、この場合には、通信装置毎に通信プロトコルが各種準備されており、接続する通信装置により通信インタフェースを別途設計する必要があった。
【００６１】
これに対し、本変形例では、複数系統用ＬＦＣシステム１００〜１００Ｂにおいて、上り情報あるいは下り情報の通信プロトコルにインターネットプロトコルを採用することにより、より容易にシステム構築が可能となり、上り情報と下り情報の通信の自由度が向上するとともに、システム構築コストの低減も図れる。
【００６２】
この場合においては、ＨＴＴＰによる通信をセキュア（安全）に行うために、暗号化などが可能な通信プロトコルを採用したり、暗号化を施してから通信を行うようにしたり、仮想プライベートネットワーク（ＶＰＮ）を介して行うようしたりすることが好ましい。なお、通信の遅延を抑制するため、暗号化の際のエンコード／デコードは、ソフトウェア的に行うよりも、ハードウェア的に行うのがより好ましい。
【００６３】
［５］第４実施形態
図６は、第４実施形態の複数系統用ＬＦＣシステムの概要構成ブロック図である。
図６において、第１実施形態乃至第３実施形態の複数系統用ＬＦＣシステムと異なる点は、ＬＦＣ管理装置１０２と第２の通信ネットワーク（例えば、インターネット）を介して複数系統用ＬＦＣシステム１００Ａの利用を行うユーザ（契約前ユーザを含む）のユーザ端末を接続するようにしている点である。
なお、第２の通信ネットワークを介して、接続したユーザ端末に代えて、サーバを接続したり、ＬＦＣ管理装置１０２にローカルな第２の通信ネットワーク（接続ケーブルで接続する場合も含む）を介してユーザ端末を接続するようにしてもよい。
【００６４】
第４実施形態の複数系統用ＬＦＣシステム１００Ａは、大別すると、複数の電力系統１０１−１〜１０１−ｘと、複数系統用のＬＦＣ管理装置１０２と、電力系統１０１−１〜１０１−ｘとＬＦＣ管理装置１０２とをそれぞれ通信可能に接続する通信ネットワーク１０３−１〜１０３−３と、第２の通信ネットワーク１０４と、第２の通信ネットワーク１０４を介して接続された複数のユーザ端末１０５Ａ〜１０５Ｃと、を備えている。
【００６５】
以下の説明においては、複数系統用ＬＦＣシステム１００Ａの利用を行うユーザ（契約前ユーザを含む）の新規契約、契約改定及び契約終了時の処理について説明する。
【００６６】
図７は、第４実施形態の処理フローチャートである。
［５．１］新規契約時
まず、契約前ユーザが新規契約を行う場合について説明する。
複数系統用ＬＦＣシステム１００Ａの運用及び管理を行うＬＦＣ機能提供者に対して、複数系統用ＬＦＣシステム１００Ａの利用を申し込む場合には、ＬＦＣ機能提供者が提供しているサイトに、例えば、インターネットとして構築された第２の通信ネットワーク１０４を介して、ユーザ端末１０５ＡからＬＦＣ管理装置１０２に接続する。
【００６７】
そして、契約前ユーザは、新たにＬＦＣ機能の提供を受けるための新規契約申し込みを行う（ステップＳ１；契約ステップ）。
これにより、複数系統用ＬＦＣシステム１００Ａは、契約ステップにおける申し込み内容が新規契約、契約改定あるいは契約終了のいずれであるかを判別する（ステップＳ２）。
【００６８】
この場合には、新規契約であるので（ステップＳ１；新規契約）、上述した第２実施形態において、新たに電力系統１０１−２の追加を行う場合と同様に、ユーザ端末１０５Ａから複数系統用ＬＦＣシステム１００Ａの設定部１４１に接続する。
【００６９】
そして、ユーザ端末１０５Ａを用いて、設定部１４１に対し、新たな電力系統（新規系統）に対するＬＦＣ機能利用のためのデータ追加設定を行う（ステップＳ３ａ）。
【００７０】
具体的には、ユーザ端末１０５Ａを用いて、設定部１４１に対し、新たな電力系統（新規系統）に対するＬＦＣ機能利用のため、新たな電力系統に対応する周波数維持のために必要な入力用データ、系統特性データ、制御用データ及び出力用データの設定を受け付けて設定データ記録部１４２へ記録する。これにより設定データ記録部１４２は、設定部１４１から入力された新たな電力系統の入力用データ、系統特性データ、制御用データ及び出力用データの生成用データが記憶される。
【００７１】
続いて、複数系統用ＬＦＣシステム１００Ａは、新規系統でＬＦＣ機能を開始するＬＦＣデータ生成を行う（ステップＳ４ａ）。
具体的には、管理部１４４は、ユーザ端末１０５Ａから電力系統を新たにＬＦＣ制御対象とする旨の指示を受け付けると、データ更新部１４３に対して、新たな系統である電力系統の入力用データ、系統特性データ、制御用データ及び出力用データを作成するよう指示する。
【００７２】
また管理部１４４は新たな系統である電力系統のための入力部、計算部、配分部、出力部を生成し、起動せずに待機状態とする。
【００７３】
そして、データ更新部１４３は、管理部１４４から新たな系統である電力系統の入力用データ、系統特性データ、制御用データ及び出力用データを作成するよう指示を受けると、新たに追加された電力系統の入力用データ、系統特性データ、制御用データ及び出力用データを生成し、その内容を設定データ記録部１４２に記録されている電力系統の入力用データ、系統特性データ、制御用データ及び出力用データの内容と同じ内容とする。
【００７４】
そして、データ更新部１４３が電力系統の入力用データ、系統特性データ、制御用データ及び出力用データの内容を作成してから、管理部１４４は、先に生成した電力系統のための入力部、計算部、配分部、出力部を起動する。
これにより、複数系統用ＬＦＣシステム１００Ａは、新規系統でＬＦＣ機能を継続して実施するＬＦＣ実施ステップに移行する（ステップＳ５ａ）。
この結果、起動された入力部、計算部、配分部、出力部は、以降周期的に動作第１実施形態の複数形容用ＬＦＣシステム１００と同様の動作を行うこととなる。
【００７５】
［５．２］契約改定時
次に、契約ユーザが契約改定を行う場合について説明する。
複数系統用ＬＦＣシステム１００Ａの運用及び管理を行うＬＦＣ機能提供者に対して、複数系統用ＬＦＣシステム１００Ａの利用の契約改定を申し込む場合には、ＬＦＣ機能提供者が提供しているサイトに、例えば、インターネットとして構築された第２の通信ネットワーク１０４を介して、ユーザ端末１０５ＡからＬＦＣ管理装置１０２に接続する。
【００７６】
そして、契約ユーザは、契約改定の申し込みを行う（ステップＳ１；契約ステップ）。
これにより、複数系統用ＬＦＣシステム１００ＡのＬＦＣ管理装置１０２は、契約ステップにおける申し込み内容が新規契約、契約改定あるいは契約終了のいずれであるかを判別する（ステップＳ２）。
【００７７】
この場合には、契約改定であるので（ステップＳ２；契約改定）、上述した第２実施形態において、ＬＦＣ制御条件を変更する場合と同様に、処理を行う。
そして、ユーザ端末１０５Ａを用いて、設定部１４１に対し、既に登録されている電力系統の周波数維持のために必要な電力系統の入力用データ、系統特性データ、制御用データ及び出力用データとして契約内容（設定）を変更するための新たな設定データを入力する保守ステップに移行する（ステップＳ３ｂ）。
【００７８】
これにより設定部１４１を介してユーザ端末１０５Ａは、既に登録されている電力系統の周波数維持のために必要な入力用データ、系統特性データ、制御用データ及び出力用データとして契約改定のための新たな設定データを入力する。
設定データ記録部１４２は、設定部１４１から入力された新たに設定しようとする電力系統の入力用データ、系統特性データ、制御用データ及び出力用データの生成用データを記憶する。
【００７９】
続いて、複数系統用ＬＦＣシステム１００Ａは、ユーザ端末１０５Ａに対応するユーザの既存系統でＬＦＣ機能を実現するためのＬＦＣデータを契約改訂後のＬＦＣデータ切り替えを行うＬＦＣデータ切替ステップに移行する（ステップＳ４ｂ）。
【００８０】
管理部１４４は、電力系統に対応するデータの更新指示（改訂指示）を受け付けると、データ更新部１４３に対して、電力系統に対応する新たな入力用データ、系統特性データ、制御用データ及び出力用データを作成するよう指示する。
【００８１】
続いてデータ更新部１４３は、管理部１４４から既存の電力系統の新たな入力用データ、系統特性データ、制御用データ及び出力用データを作成するよう指示を受けると、電力系統の契約改定前に対応する入力部、計算部、配分部、出力部を一旦停止状態とし、その後に電力系統の入力用データ、系統特性データ、制御用データ及び出力用データの内容を、設定データ記録部１４２に記録されている契約改定を行っているユーザに対応する電力系統の入力用データ、系統特性データ、制御用データ及び出力用データの内容と同じ内容に更新する。
【００８２】
そして、データ更新部１４３が契約改定後の電力系統の入力用データ、系統特性データ、制御用データ及び出力用データの内容を作成してから、管理部１４４は、停止状態にしていた契約改定後の新たな電力系統のための入力部、計算部、配分部、出力部を起動する。
【００８３】
これにより、複数系統用ＬＦＣシステム１００ＡのＬＦＣ管理装置１０２は、契約改定後の新たなＬＦＣ機能を継続して実施するＬＦＣ実施ステップに移行する（ステップＳ５ｂ）。
この結果、契約改定後に起動された入力部、計算部、配分部及び出力部は、以降周期的に動作し、第１実施形態と同様の動作を行う。
【００８４】
［５．３］契約終了時
次に、契約ユーザが契約終了を行う場合について説明する。
複数系統用ＬＦＣシステム１００Ａの運用及び管理を行うＬＦＣ機能提供者に対して、複数系統用ＬＦＣシステム１００Ａの利用の契約終了を申し込む場合には、ＬＦＣ機能提供者が提供しているサイトに、例えば、インターネットとして構築された第２の通信ネットワーク１０４を介して、ユーザ端末１０５ＡからＬＦＣ管理装置１０２に接続する。
【００８５】
そして、契約ユーザはユーザ端末１０５Ａを用いて、契約終了の申し込みを行う（ステップＳ１；契約ステップ）。
これにより、複数系統用ＬＦＣシステム１００ＡのＬＦＣ管理装置１０２は、契約ステップにおける申し込み内容が新規契約、契約改定あるいは契約終了のいずれであるかを判別する（ステップＳ２）。
【００８６】
この場合には、契約終了であるので（ステップＳ２；契約終了）、ＬＦＣ管理装置１０２は、上述した第２実施形態において、ＬＦＣ制御を停止する場合と同様の処理を行う。
そして、契約ユーザはユーザ端末１０５Ａを用いて、設定部１４１に対し、既に登録されている電力系統の周波数維持のために必要な入力用データ、系統特性データ、制御用データ及び出力用データの削除指示を入力する。
【００８７】
これにより、契約ユーザはユーザ端末１０５Ａを用いて、設定部１４１に対し、契約終了のため、既に登録されている電力系統の周波数維持のために必要な電力系統の入力用データ、系統特性データ、制御用データ及び出力用データを削除する保守ステップに移行する（ステップＳ３ｃ）。
【００８８】
そして、ＬＦＣ管理装置１０２の設定部１４１は、既に登録されており、契約終了の対象となる電力系統の周波数維持のために必要な入力用データ、系統特性データ、制御用データ及び出力用データの削除を受けつけて、削除指示を設定データ記録部１４２に入力する。
【００８９】
ＬＦＣ管理装置１０２の設定データ記録部１４２は、設定部１４１から入力された削除指示に基づいて契約終了対象の電力系統の入力用データ、系統特性データ、制御用データ及び出力用データの生成用データが削除されたことを記憶する。
【００９０】
続いて、複数系統用ＬＦＣシステム１００ＡのＬＦＣ管理装置１０２は、ユーザ端末１０５Ａに対応するユーザの既存系統でＬＦＣ機能の提供契約を終了するためのＬＦＣ終了ステップに移行する（ステップＳ４ｃ）。
【００９１】
ＬＦＣ管理装置１０２の管理部１４４は、契約終了対象の電力系統の契約終了（実効的には、ＬＦＣ制御対象から除外）する指示を受け付けると、当該時点まで周期的に動いていた入力部、計算部、配分部、出力部を停止させるとともに、これらを削除する。
【００９２】
その後、ＬＦＣ管理装置１０２の管理部１４４は、データ更新部１４３に対して、契約終了対象の電力系統の入力用データ、系統特性データ、制御用データ及び出力用データを更新するよう指示する。
【００９３】
これにより、データ更新部１４３は、管理部１４４からの指示に基づいて、設定データ記録部１４２に記録されている入力用データ、系統特性データ、制御用データ及び出力用データの内容を更新しようとするが、設定データ記録部１４２には、これらのデータが削除されていることが記録されているので、実効的に入力用データ、系統特性データ、制御用データ及び出力用データを削除する動作を行う。
【００９４】
この結果、契約終了後の電力系統に対するＬＦＣ機能の提供が終了される。
そして、他の残った電力系統に対するＬＦＣ機能の提供は継続し、当該残った電力系統の入力部、計算部、配分部、出力部は、以降周期的に動作し、第１実施形態と同様の動作を行う。
【００９５】
以上の説明のように、第４実施形態の複数系統用ＬＦＣシステムによれば、ＬＦＣ機能提供者は、複数の特定系統のＬＦＣ運用者（ユーザ）に対して、ＬＦＣ機能をサービスとして提供を開始させ、あるいは契約改定（運用条件の変更）を行ってＬＦＣ機能をサービスとして提供することができる。
【００９６】
また、ＬＦＣ機能のサービスの提供終了を、複数系統用ＬＦＣシステムを用いて行うことができる。
以上の説明は、ユーザ端末を直接第２の通信ネットワーク（インターネット）を介してＬＦＣ管理装置に接続する構成を採っていたが、契約管理サーバを設け、契約管理サーバをＬＦＣ管理装置の外部装置として同様の処理を行うように構成することも可能である。
【００９７】
［６］第５実施形態
上記各実施形態においては、設定データ記録部１４２に記憶される各電力系統１０１−１〜１０１−ｘ（系統）の設定データは、それぞれ１組ずつであったが、本第５実施形態においては、設定データ記録部１４２に記憶される各電力系統１０１−１〜１０１−ｘ（系統）の設定データを複数組記憶させる場合の実施形態である。
【００９８】
図８は、第５実施形態の設定データ記録部のデータ記録例の説明図である。
なお、第５実施形態の複数系統用ＬＦＣシステムの構成は、図３の場合と同様であるので、その詳細な説明を援用するものとする。
本第５実施形態の設定データ記録部１４２Ａは、電力系統１０１−１〜１０１−ｘ（系統）毎に、過去の変更の都度その世代識別子を付して記録されている。なお、図８においては、図示の簡略化のため電力系統を系統と表記している。
【００９９】
より具体的には、図８に示すように、設定部１４１が既に設定されている特定系統、以下の説明においては、電力系統１０１−１を特定系統とし、当該電力系統１０１−１の入力用データ１３１−１、系統特性データ１３２−１、制御用データ１３３−１及び出力用データ１３４−１の変更を受け付ける。
【０１００】
そして、受け付けた内容を設定データ記録部１４２Ａに電力系統１０１−１の設定データ１３０−１として記録する際には、それまでの最新の入力用データ１３１−２、系統特性データ１３２−２、制御用データ１３３−２及び出力用データ１３４−２に世代を示す識別子（図８の例の場合、第（ｊ−１）世代を表す識別子）を付して記録するとともに、変更後の入力用データ１３１−２、系統特性データ１３２−２、制御用データ１３３−２及び出力用データ１３４−２にも世代を示す識別子（図８の例の場合、第ｊ世代を表す識別子）を付して第ｊ世代設定データ１３０−１ｊとして記録する。この結果、電力系統１０１−１の設定データとしては、第１世代設定データ１３０−１１〜第ｊ世代設定データ１３０−１ｊが格納される。
【０１０１】
具体的には、第ｊ世代設定データ１３０−１ｊとして、電力系統１０１−１の入力用データ１３１−１、系統特性データ１３２−１、制御用データ１３３−１及び出力用データ１３４−１の変更を受け付けるために入力された、電力系統１０１−１の入力用設定データ１３１−１Ｓ、系統特性設定データ１３２−１Ｓ、制御用設定データ１３３−１Ｓ及び出力用設定データ１３４−１Ｓが格納される。
【０１０２】
同様に、既に設定されている特定系統である電力系統１０１−１の入力用データ１３１−１、系統特性データ１３２−１、制御用データ１３３−１及び出力用データ１３４−１の削除を受け付け、受け付けた内容を設定データ記録部１４２Ａに記録する際には、それまでの最新の入力用データ１３１−１、系統特性データ１３２−１、制御用データ１３３−１及び出力用データ１３４−１に世代を示す識別子（図８の例の場合、第（ｊ−１）世代を表す識別子）を付して記録するとともに、変更後の入力用データ１３１−２、系統特性データ１３２−２、制御用データ１３３−２及び出力用データ１３４−２にも世代を示す識別子（図８の例の場合、第ｊ世代を表す識別子）を付して記録する。この結果、変更受け付け時と同様に、電力系統１０１−１の設定データとしては、第１世代設定データ１３０−１１〜第ｊ世代設定データ１３０−１ｊが格納される。
【０１０３】
このように構成することにより、例えば、第ｊ世代の設定データに設定した後に不具合が起きた場合には、世代を指定することで既に運用実績のある設定データを新たな設定データとして再び用いて、運用を容易に行える。
【０１０４】
この場合において、管理部１４４が、外部からｊ世代より前の世代のいずれかの世代の設定データを利用する指示を受けると、管理部１４４は、現在動作している入力部１２１−１、計算部１２２−１、配分部１２３−１、出力部１２４−１の動作を一旦停止させ、その後、データ更新部１４３に対して、設定データ記録部１４２Ａに記録されている特定系統である電力系統１０１−１の指定された世代（たとえば、第（ｊ−１）世代の設定データに対応する入力用設定データ、系統特性設定データ、制御用設定データ、出力用設定データにより、入力用データ１３１−１、系統特性データ１３２−１、制御用データ１３３−１及び出力用データ１３４−１を更新するよう指示をする。
【０１０５】
これにより、データ更新部１４３は、管理部１４４から指示を受けると、設定データ記録部１４２Ａに記録されている電力系統１０１−１の第（ｊ−１）世代の入力用設定データ、系統特性設定データ、制御用設定データ、出力用設定データの内容により、電力系統１０１−１の入力用データ１３１−１、系統特性データ１３２−１、制御用データ１３３−１及び出力用データ１３４−１を更新する。
【０１０６】
次に管理部１４４は、入力部１２１−１、計算部１２２−１、配分部１２３−１、出力部１２４−１を起動する。以降は入力部１２１−１、計算部１２２−１、配分部１２３−１、出力部１２４−１は周期的に動くこととなる。
【０１０７】
このような構成とすることによって、本第５実施形態によれば、容易に変更前の条件でＬＦＣ制御ができるようになり、設定データに誤りがあった場合など、入力用データ１３１−１、系統特性データ１３２−１、制御用データ１３３−１及び出力用データ１３４−１を一世代前の状態に戻してＬＦＣ制御をおこないたい場合に、容易に対応できる。
【０１０８】
［７］実施形態の効果
以上の説明のように、各実施形態の複数系統用ＬＦＣシステムによれば、例えば中央アメリカの離島の系統と、東アジアの離島の系統と、中国やインドの新都市の系統の周波数を維持する場合のように、複数系統について、一つの複数系統用ＬＦＣシステムにおいて対応することができる。
また、このような地球上のはるかに離れた場所の複数系統の各運用者に対して、一つの複数系統用ＬＦＣシステムによってＬＦＣ機能をサービスとして提供することが可能となる。
【０１０９】
本実施形態のＬＦＣ管理装置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１１０】
本実施形態のＬＦＣ管理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１１１】
また、本実施形態のＬＦＣ管理装置で実行されるプログラムを、インターネット等のネットワークに接続されたコンピュータ上に格納し、ネットワーク経由でダウンロードさせることにより提供するように構成しても良い。また、本実施形態のＬＦＣ管理装置で実行されるプログラムをインターネット等のネットワーク経由で提供または配布するように構成しても良い。
また、本実施形態のＬＦＣ管理装置のプログラムを、ＲＯＭ等に予め組み込んで提供するように構成してもよい。
【０１１２】
本実施形態のＬＦＣ管理装置で実行されるプログラムは、上述した各部（入力部、計算部、配分部、出力部、設定部、データ更新部、管理部）を含むモジュール構成となっており、実際のハードウェアとしてはＣＰＵ（プロセッサ）が上記記憶媒体から〜プログラムを読み出して実行することにより上記各部が主記憶装置上にロードされ、入力部、計算部、配分部、出力部、設定部、データ更新部、管理部が主記憶装置上に生成されるようになっている。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
0006457635.tif 000002
【図２】
0006457635.tif 000003
【図３】
0006457635.tif 000004
【図４】
0006457635.tif 000005
【図５】
0006457635.tif 000006
【図６】
0006457635.tif 000007
【図７】
0006457635.tif 000008
【図８】
0006457635.tif 000009